(57)【特許請求の範囲】
【請求項１】
ネットワークを介して装置に接続され、
複数の物品それぞれが有する認証要素保持体から各認証要素保持体が１つずつ保持する認証要素を１つずつ読み取り、
前記１つずつ読み取った複数の前記認証要素を用いて、認証保護情報を受信する正当な権限があることを示す一の認証情報を生成し、
前記生成した一の認証情報を前記装置に送信し、
前記装置から、端末から前記装置へ前記一の認証情報が送信された場合にのみ受信できる情報であって、前記送信された一の認証情報に対応付けて前記装置の記憶装置に記憶されており、前記認証要素の組み合わせ方の違いに応じて内容が異なる前記認証保護情報を受信し、
前記受信した認証保護情報に基づき、前記１つずつ読み取られる認証要素の組み合わせ方の違いに応じて内容が異なる動作を行い、
前記認証保護情報はコンテンツデータのダウンロードを命じる情報であり、前記認証保護情報に基づく動作はコンテンツデータのダウンロードの実行である、または、
前記認証保護情報はストリーミング配信されるコンテンツデータの受信を命じる情報であり、前記認証保護情報に基づく動作はストリーミング配信されるコンテンツデータの受信の実行である端末。
【請求項２】
ネットワークを介して装置に接続され、
複数の物品それぞれが有する認証要素保持体から各認証要素保持体が１つずつ保持する認証要素を１つずつ読み取り、
前記１つずつ読み取った複数の前記認証要素を用いて、認証保護情報を受信する正当な権限があることを示す情報であって、前記認証要素の読み取りの順序に応じて異なる内容の一の認証情報を生成し、
前記生成した一の認証情報を前記装置に送信し、
前記装置から、端末から前記装置へ前記一の認証情報が送信された場合にのみ受信できる情報であって、前記送信された一の認証情報に対応付けて前記装置の記憶装置に記憶されており、前記認証要素の組み合わせ方の違い及び読み取り順序の違いに応じて内容が異なる前記認証保護情報を受信し、
前記受信した認証保護情報に基づき、前記１つずつ読み取られる認証要素の組み合わせ方の違い及び読み取り順序の違いに応じて内容が異なる動作を行い、
前記認証保護情報はコンテンツデータのダウンロードを命じる情報であり、前記認証保護情報に基づく動作はコンテンツデータのダウンロードの実行である、または、
前記認証保護情報はストリーミング配信されるコンテンツデータの受信を命じる情報であり、前記認証保護情報に基づく動作はストリーミング配信されるコンテンツデータの受信の実行である端末。
【請求項３】
前記一の認証情報と動作条件を前記装置に送信する請求項１または２に記載の端末。
【請求項４】
ネットワークを介して請求項１に記載の端末に接続され、
前記端末から前記一の認証情報を受信し、
前記一の認証情報と、前記認証要素の組み合わせ方の違いに応じて内容が異なる認証保護情報と、を対応付けて記憶する前記記憶装置にアクセスし、
アクセスした前記記憶装置に前記受信した一の認証情報に対応付けて前記認証保護情報が記憶されている場合に、前記認証保護情報を受信する正当な権限が前記端末にあるものとして、前記対応付けて記憶されている認証保護情報を前記記憶装置から読み出し、前記読み出した認証保護情報を前記端末に送信する装置。
【請求項５】
ネットワークを介して請求項２に記載の端末に接続され、
前記端末から前記一の認証情報を受信し、
前記一の認証情報と、前記認証要素の組み合わせ方の違い及び読み取り順序の違いに応じて内容が異なる認証保護情報と、を対応付けて記憶する前記記憶装置にアクセスし、
アクセスした前記記憶装置に前記受信した一の認証情報に対応付けて前記認証保護情報が記憶されている場合に、前記認証保護情報を受信する正当な権限が前記端末にあるものとして、前記対応付けて記憶されている認証保護情報を前記記憶装置から読み出し、前記読み出した認証保護情報を前記端末に送信する装置。
【請求項６】
前記端末から前記一の認証情報と動作条件を受信する請求項４または５に記載の装置。
【請求項７】
請求項１から３のいずれか１項に記載の端末と、請求項４から６のいずれか１項に記載の装置と、を備えたシステム。
【発明の詳細な説明】
【技術分野】
【０００１】
本開示は、端末、物品、装置、及びこれらを備えたシステムに関する。
【背景技術】
【０００２】
非接触ＩＣカードに記憶されたコンテンツＩＤをコンテンツサーバに送り、該サーバからコンテンツデータを受信しこれを再生するシステムが提案されている（特許文献１参照）。
【先行技術文献】
【特許文献】
【０００３】
【特許文献１】特開２００５−０２５６３８号公報
【発明の概要】
【発明が解決しようとする課題】
【０００４】
しかしながら、上記のシステムでは、複数のコンテンツＩＤが１つ１つ個別に用いられる。また、上記のシステムでは、端末の動作がコンテンツの再生に限られている。
【課題を解決するための手段】
【０００５】
本開示は以下の発明を含む。
【０００６】
ネットワークを介して装置に接続され、１つ以上の物品から複数の認証要素を読み取り、前記読み取った複数の認証要素を用いて認証情報を生成し、前記生成した認証情報を前記装置に送信し、前記装置から前記送信した認証情報に対応する認証保護情報を受信し、前記受信した認証保護情報に基づき動作する端末。
【０００７】
上記の端末により１つ以上の認証要素が読み取られる物品。
【０００８】
ネットワークを介して端末に接続され、前記端末から認証情報を受信し、認証情報と認証保護情報とを対応付けて記憶する記憶装置にアクセスし、前記記憶装置に記憶されている認証保護情報の中から前記受信した認証情報に対応する認証保護情報を読み出し、前記読み出した認証保護情報を前記端末に送信する装置。
【０００９】
上記の端末と、上記の物品と、上記の装置と、を備えたシステム。
【発明の効果】
【００１０】
認証要素の組み合わせ方の違いに応じて端末を様々に動作させることができる端末、物品、装置、及びこれらを備えたシステムを提供することができる。
【図面の簡単な説明】
【００１１】
【図１】実施形態１に係るシステム１の構成例を示す模式図である。
【図２】端末の記憶例を示す模式図である。
【図３】実施形態１に係るシステム１の動作例１を説明する図である。
【図４】実施形態１に係るシステム１の動作例２を説明する図である。
【図５】実施形態１に係るシステム１の動作例３を説明する図である。
【図６】実施形態１に係るシステム１の動作例４を説明する図である。
【図７】実施形態２に係るシステムの動作例を説明する図である。
【発明を実施するための形態】
【００１２】
［実施形態１に係るシステム１］
図１は実施形態１に係るシステム１の構成例を示す模式図である。図１に示すように、実施形態１に係るシステム１は、端末２０と、物品１２、１４、１６と、装置３０と、を備えている。システム１によれば、認証要素の組み合わせ方の違いに応じて端末を様々に動作させることができる。以下、詳細に説明する。
【００１３】
（物品１２、１４、１６）
物品１２、１４、１６は、端末２０により１つ以上の認証要素が読み取られる部材である。認証要素とは認証情報の構成要素となる情報である。認証情報とは正当な権限があるかどうかの認証に用いられる情報である。認証保護情報とは認証情報で保護された情報、すなわち、正当な権限があることを示す認証情報を送信した場合にのみ受信することができる情報をいう。認証保護情報は認証情報を送信しなければ受信できないため、物品１２、１４、１６から読み取った認証要素を用いて一の認証情報を生成する本実施形態によれば、物品１２、１４、１６を利用して、認証保護情報に基づく動作によりダウンロードまたは受信されるコンテンツデータの著作権や利用状況などを適切に管理することができる。認証情報や認証要素は、例えば１桁以上の英数字などから構成することができる。認証情報をＵＲＬ（Ｕｎｉｆｏｒｍ  Ｒｅｓｏｕｒｃｅ  Ｌｏｃａｔｏｒ）の形式にすれば、様々なサービス提供会社が運営する装置３０にて認証情報を処理し、認証を行うことができるため、本実施形態に係るシステム１を様々なサービス提供会社のサービスと容易に連動させることができる。
【００１４】
物品１２、１４、１６は、端末２０により１つ以上の認証要素を読み取ることができるよう、例えば、認証要素を保持する認証要素保持体を有していることが好ましい。認証要素が符号化された二次元コードやバーコード、認証要素を記憶する非接触ＩＣチップなどは、認証要素保持体の一例である。認証要素が違法に複製されて悪用される虞がある場合には、複製が比較的困難である非接触ＩＣチップを利用することが好ましい。非接触ＩＣチップには、例えば、ＮＦＣ（Ｎｅａｒ  Ｆｉｅｌｄ  Ｃｏｍｍｕｎｉｃａｔｉｏｎ）に対応した非接触ＩＣチップを用いることができる。
【００１５】
システム１が備える物品の数は限定されない。物品の数が１つである場合は、当該１つの物品から複数の認証要素が読み取られる。また、システム１が備える物品の数が複数である場合は、各物品から１つ以上の認証要素が読み取られる。本実施形態では、システム１が３つの物品１２、１４、１６を備えるものとし、物品１２からは認証要素Ａが読み取られ、物品１４からは認証要素Ｂが読み取られ、物品１６からは認証要素Ｃが読み取られるものとする。
【００１６】
物品１２、１４、１６からは、認証要素Ａ、Ｂ、Ｃのほか、各物品に固有の番号やその他の情報が読み取られてもよい。これらの情報も、認証要素と同様に、物品が備える認証要素保持体に保持させることができる。
【００１７】
物品１２、１４、１６の種類、形状、及び大きさなどは特に限定されない。ミニチュア、人形、装飾品、生活雑貨、商品のパッケージ、印刷物、電子機器、衣服などは、物品１２、１４、１６の一例である。
【００１８】
（端末２０）
端末２０は、ユーザにより使用される端末である。スマートフォン、携帯電話、タブレット型コンピュータ、玩具などは、端末２０の一例である。端末２０は、ユーザにより所有される端末であってもよいし、システム１の運営者などからユーザに有料または無料で貸し出し等される端末であってもよい。端末２０は、例えばＣＰＵやＲＡＭなどを備えており、ＣＰＵが動作することにより動作する。端末２０は、ネットワーク４０を介して装置３０に接続される。ネットワーク４０は例えばインターネットやＬＡＮ（Ｌｏｃａｌ  Ａｒｅａ  Ｎｅｔｗｏｒｋ）などである。
【００１９】
端末２０は１つ以上の物品１２、１４、１６から複数の認証要素Ａ、Ｂ、Ｃを読み取る。認証要素Ａ、Ｂ、Ｃの読み取りは、例えば、物品１２、１４、１６が非接触ＩＣチップを認証要素保持体として備えるものである場合は、ＮＦＣ（Ｎｅａｒ  Ｆｉｅｌｄ  ｒａｄｉｏ  Ｃｏｍｍｕｎｉｃａｔｉｏｎ）などの近距離無線通信により行うことができる。また、物品１２、１４、１６が二次元コードやバーコードなどを認証要素保持体として備える場合は、端末２０が備えるカメラなどの撮像素子を用いて行うことができる。
【００２０】
複数の認証要素Ａ、Ｂ、Ｃは１つずつ読み取られてもよいし、同時に読み取られてもよい。また、１つずつ読み取られる場合は、一の認証要素が読み取られた後、直ちに他の認証要素が読み取られてもよいし、ある程度の時間（例：数十分、数時間、数日、数週間）を置いてから読み取られてもよい。ある程度の時間を置いてから読み取られる場合は、所定の時間の経過後、読み取った認証要素を端末２０のメモリから消去することができる。このようにすれば、一の認証要素を読み取ってから他の認証要素を読み取るまでに所定の時間が経過した場合は、一の認証要素を再び読み取り直さなければ、一の認証要素と他の認証要素とを組み合わせてなる一の認証情報を生成することができなくなるため、認証保護情報の流通状況や認証保護情報に基づく動作状況を適切に管理することができる。
【００２１】
端末２０は、読み取った複数の認証要素を用いて、一つの認証情報を生成する。生成の方法は特に限定されない。例えば、認証要素を所定の算出式に従って処理することにより、複数の認証要素から一つの認証情報を算出することにより一つの認証情報を生成してもよい。算出式の内容は特に限定されない。また、例えば、複数の認証要素と一の認証情報とが同じ行の異なる列に格納されているテーブルから、読み取った複数の認証要素と同じ行に格納されている一の認証情報を読み取ることにより一つの認証情報を生成してもよい。なお、本実施形態では、例えば認証要素Ａと認証要素Ｂとを用いて生成された認証情報をＡ×Ｂと表記することがある。しかしこの表記は、認証要素Ａと認証要素Ｂとを組み合わせて生成された認証情報を意味するに過ぎず、認証情報の生成方法を四則演算の積に限定するものではない。
【００２２】
図２は端末の記憶例を示す模式図である。図２は、認証要素Ａ＝０００１、認証要素Ｂ＝０００２、認証要素Ｃ＝０００３である場合の記憶例である。図２において、例えば、第４行目は認証要素Ａ、Ｂの組み合わせに対応付けて０００ｄ＝認証情報が記憶されていることを意味し、第５行目は認証要素Ａ、Ｃの組み合わせに対応付けて０００ｅ＝認証情報が記憶されていることを意味し、第６行目は認証要素Ｂ、Ｃの組み合わせに対応付けて０００ｆ＝認証情報が記憶されていることを意味し、第７行目は認証要素Ａ、Ｂ、Ｃの組み合わせに対応付けて００ａ１＝認証情報が記憶されていることを意味する。
【００２３】
端末２０は、認証要素の読み取りの順序に応じて異なる内容の認証情報を生成してもよい。例えば、認証要素Ａ→認証要素Ｂの順に認証要素Ａ、Ｂを読み取った場合に生成される認証情報と、認証要素Ｂ→認証要素Ａの順に認証要素Ａ、Ｂを読み取った場合に生成される認証情報は、その内容が異なっていてもよい。このようにすれば、認証要素の読み取り順序に応じて内容が異なる認証保護情報を端末２０で受信することができるため、端末２０を操作するユーザの選択肢を増やすことができる。したがって、認証要素を組み合わせる楽しみが向上する。
【００２４】
端末２０は、読み取った複数の認証要素を用いて一つの認証情報を生成できればよい。端末２０は、読み取った複数の認証要素を用いて一つの認証情報を生成できることに加えて、読み取った一の認証要素を用いて一つの認証情報を生成できてもよい。
【００２５】
端末２０は、生成した一の認証情報を装置３０に送信し、装置３０から送信した認証情報に対応する認証保護情報を受信する。
【００２６】
複数の認証要素そのものではなく一の認証情報を送信させる動作を端末２０に実行させることにより、一の認証情報のデータ量を複数の認証要素のデータ量の合計量より小さくして、端末２０から装置３０へ送信するデータ量を削減することができる。例えば、それぞれが４桁の英数字からなる３つの認証要素を組み合わせて４桁の英数字からなる一の認証情報を生成し、生成した一の認証情報を端末２０から装置３０へ送信する場合には、端末２０から装置３０へ送信するデータ量を３分の１に削減することができる。端末２０から装置３０へ送信するデータ量を削減することにより、端末２０により認証要素を読み取ってから端末２０を動作させるまでの時間を短縮させることができる。
【００２７】
複数の認証要素そのものではなく一の認証情報を送信させる動作を端末２０に実行させることにより、端末２０と装置３０との間の情報のやりとりを簡素化して、端末２０の動作を安定させることができる。したがって、装置３０との間で情報をやりとりしている際に端末２０がフリーズして動作しなくなるなどのエラーの発生を抑制することができる。また、端末２０で認証要素を読み取ってから端末２０を動作させるまでの時間を短縮させることができる。
【００２８】
端末２０は、装置３０から受信した認証保護情報に基づき動作する。認証保護情報は、例えば、次の（１）から（６）のうちの少なくとも１つの情報である。すなわち、（１）から（６）のいずれか１つであってもよいし、これらの情報を２つ以上組み合わせたものであってもよい。
（１）コンテンツデータのダウンロードを命じる情報、
（２）ストリーミング配信されるコンテンツデータの受信を命じる情報、
（３）オペレーティングシステムに所定の処理の実行を命じる情報
（４）アプリケーションに所定の処理の実行を命じる情報
（５）アプリケーションのダウンロードを命じる情報
（６）端末２０のハードウェアを空間的に動作させる処理の実行を命じる情報
【００２９】
（１）のコンテンツデータとは、例えば、動画、静止画、音楽、音声、及び文字情報のうちの少なくとも１つのデータ（以下「動画等」という。）をいう。コンテンツデータは、動画等が非圧縮で記録されたデータであってもよいし、圧縮して記録されたデータ（例：ＭＰＥＧファイル、ＡＶＩファイル）であってもよい。
【００３０】
（２）の情報には、動画等をストリーミング配信するサーバのＵＲＬ（Ｕｎｉｆｏｒｍ  Ｒｅｓｏｕｒｃｅ  Ｌｏｃａｔｏｒ）を含めることができる。
【００３１】
（３）の情報には、例えば、端末２０の画面を明るくする処理の実行を命じる情報や暗くする処理の実行を命じる情報などを含めることができる。また、（３）の情報には、端末２０の画面上で所定の情報を通知する処理の実行を命じる情報などを含めることができる。
【００３２】
（４）の情報には、例えば、アプリケーションがゲームである場合に、ゲーム内で使用するアイテムを獲得させる処理の実行を命じる処理の実行、ゲーム内で操作するキャラクタの体力を回復させる処理の実行を命じる情報、あるいは、ゲーム内で操作する２つ以上のキャラクタを合体させる処理の実行を命じる情報を含めることができる。
【００３３】
（５）の情報には、例えば、アプリケーションを提供するサーバのＵＲＬを含めることができる。
【００３４】
（６）の情報には、例えば、端末２０を振動させる処理の実行を命じる情報、端末２０が水鉄砲である場合に端末２０に水を吹き出させる処理の実行を命じる情報を含めることができる。
【００３５】
端末２０は、上記の認証保護情報に基づき、例えば、次の（１）から（６）のうちの少なくとも１つの動作を行う。すなわち、（１）から（６）のいずれか１つの動作であってもよいし、これらの動作を２つ以上組み合わせたものであってもよい。
（１）コンテンツデータのダウンロードの実行、
（２）ストリーミング配信されるコンテンツデータの受信の実行、
（３）オペレーティングシステムによる所定の処理の実行、
（４）アプリケーションによる所定の処理の実行
（５）アプリケーションのダウンロードの実行
（６）端末２０のハードウェアを空間的に動作させる処理の実行
【００３６】
端末２０は、（１）の実行によりダウンロードしたコンテンツデータを、ダウンロード後、自動的に再生及び／又は表示してもよいし、再生及び／又は表示を指示するユーザの操作があることを条件に再生及び／又は表示してもよい。
【００３７】
端末２０は、認証保護情報の受信後、自動的に（２）の受信を実行してストリーミング配信されるコンテンツデータの再生及び／又は表示を開始してもよいし、再生及び／又は表示を指示するユーザの操作があることを条件に、（２）の受信を実行してストリーミング配信されるコンテンツデータの再生及び／又は表示を開始してもよい。
【００３８】
（３）の処理の実行とは、例えば、端末２０の画面を明るくすること、あるいは暗くすること、また、端末２０の画面上に所定の通知を表示することなどである。
【００３９】
（４）の処理の実行とは、例えば、ゲーム内で使用するアイテムの獲得、ゲーム内で操作するキャラクタの体力の回復、ゲーム内で操作する２つ以上のキャラクタの合体などの処理を実行することである。
【００４０】
端末２０は、（５）の実行によりダウンロードしたアプリケーションを、ダウンロード後、端末２０に自動的にインストールしてもよいし、インストールを指示するユーザの操作があることを条件にインストールしてもよい。
【００４１】
（６）の処理の実行とは、例えば、端末２０を振動させたり、端末２０に水を吹き出させたりすることをいう。
【００４２】
後述の実施形態２で説明する動作条件中に、端末に固有の端末ＩＤを含ませることにより、複数の認証要素を読み取っていない端末（例：複数の認証要素を読み取った端末から認証保護情報の転送を受けた端末）において、当該読み取った複数の認証要素の組み合わせに対応する認証保護情報に基づいた動作を禁止することができる。
【００４３】
（装置３０）
装置３０はネットワーク４０を介して端末２０に接続される。装置３０にはサーバコンピュータなどを用いることができる。装置３０は例えばＣＰＵやＲＡＭなどを備えており、ＣＰＵが動作することにより動作する。
【００４４】
装置３０は、端末２０から認証情報を受信する。
【００４５】
装置３０は、認証情報と認証保護情報とを対応付けて記憶する記憶装置３２にアクセスし、記憶装置３２に記憶されている認証保護情報の中から受信した認証情報に対応する認証保護情報を読み出す。これにより、認証保護情報を受信する正当な権限があるかどうかが判断される。すなわち、認証情報に対応付けて記憶されている認証保護情報が存在する場合は、正当な権限があるものと判断され、認証情報に対応付けて記憶されている認証保護情報が存在しない場合は、認証保護情報を受信する正当な権限がないものと判断される。
【００４６】
複数の認証要素と認証保護情報とを対応付けて記憶装置に記憶させるのではなく、一の認証情報と認証保護情報とを対応付けて記憶装置３２に記憶させることにより、記憶装置３２における認証保護情報の管理が簡素化される。したがって、認証保護情報の時限管理、権利保護、再生制限の管理が容易になる。時限管理とは、例えば、一定の期間が経過した後、記憶装置３２に記憶されている認証保護情報を他の認証保護情報に差し替えることなどをいう。時限管理が容易になれば、例えばアーティストが新曲を発表した場合などに、アーティストに関連した認証保護情報を速やかに差し替えることができる。また、権利保護とは、例えば、認証要素の組み合わせが本来は認証要素Ａ、Ｂであるのに、誤って認証要素Ａ、Ｃの組み合わせとして処理がなされ、認証要素Ａ、Ｃに対応する認証保護情報を受信する権限のないユーザの端末に、認証要素Ａ、Ｃに対応する認証保護情報が送信されることを防止することをいう。なお、再生制限は、例えば、後述の実施形態２で説明する動作条件により設定することができる。
【００４７】
複数の認証要素に対応付けて記憶されている認証保護情報を記憶装置から読み出すという動作ではなく、一の認証情報に対応付けて記憶されている認証保護情報を記憶装置３２から読み出すという動作を装置３０に実行させることにより、装置３０を動作させるプログラムの内容を簡素化して、装置３０の動作を安定させることができる。したがって、装置３０がフリーズして動作しなくなるなどのエラーの発生を抑制することができる。また、端末２０で認証要素を読み取ってから端末２０を動作させるまでの時間を短縮させることができる。
【００４８】
記憶装置３２は、装置３０に内蔵される装置（例：ハードディスク、ＳＳＤ、ＲＡＭ、ＲＯＭ）であってもよいし、本実施形態のように装置３０に外付けで接続される装置（例：ＵＳＢＨＤＤ）であってもよい。また、装置３０からネットワークを介してアクセス可能なデータベースなどであってもよい。
【００４９】
認証情報と認証保護情報との対応付けは、例えば、これらの情報をテーブル形式で記憶装置３２に記憶することにより行うことができる。例えば、認証情報と認証保護情報を同じテーブルの同じ行における異なる列にそれぞれ記憶する形態は、認証情報と認証保護情報とを対応付けて記憶する形態の一例である。
【００５０】
装置３０は、読み出した認証保護情報を端末２０に送信する。
【００５１】
［動作例１］
図３は実施形態１に係るシステム１の動作例１を説明する図である。動作例１は、端末２０が、物品１２、１４から認証要素Ａ、Ｂをそれぞれ読み取り、認証要素［Ａ、Ｂ］という組み合わせに対応する認証保護情報Ｋを装置３０から受信する動作例である。以下、図３を参照しつつ、動作例１について説明する。
【００５２】
（ステップＳ１１）
まず、端末２０が、物品１２から認証要素Ａを読み取った後（ステップＳ１１（１））、物品１４から認証要素Ｂを読み取る（ステップＳ１１（２））。
【００５３】
（ステップＳ１２）
次いで、端末２０が、読み取った認証要素Ａ、Ｂを用いて認証情報Ａ×Ｂを生成する。
【００５４】
（ステップＳ１３）
次いで、端末２０が認証情報Ａ×Ｂを装置３０に送信し、装置３０が端末２０から認証情報Ａ×Ｂを受信する。
【００５５】
（ステップＳ１４）
次いで、装置３０が、記憶装置３２にアクセスし、記憶装置３２に記憶されている認証保護情報の中から認証情報Ａ×Ｂに対応する認証保護情報Ｋを読み出す。
【００５６】
（ステップＳ１５）
次いで、装置３０が読み出した認証保護情報Ｋを端末２０に送信し、端末２０が装置３０からステップＳ１３で送信した認証情報Ａ×Ｂに対応する認証保護情報Ｋを受信する。
【００５７】
（ステップＳ１６）
次いで、端末２０が、受信した認証保護情報Ｋに基づいて動作する。
【００５８】
［動作例２］
図４は実施形態１に係るシステム１の動作例２を説明する図である。動作例２は、端末２０が、物品１２、１６から認証要素Ａ、Ｃをそれぞれ読み取り、認証要素［Ａ、Ｃ］という組み合わせに対応する認証保護情報Ｌを装置３０から受信する動作例である。以下、図４を参照しつつ、動作例２について説明する。
【００５９】
（ステップＳ２１）
まず、端末２０が、物品１２から認証要素Ａを読み取った後（ステップＳ２１（１））、物品１４から認証要素Ｃを読み取る（ステップＳ２１（２））。
【００６０】
（ステップＳ２２）
次いで、端末２０が、読み取った認証要素Ａ、Ｃを用いて認証情報Ａ×Ｃを生成する。
【００６１】
（ステップＳ２３）
次いで、端末２０が認証情報Ａ×Ｃを装置３０に送信し、装置３０が端末２０から認証情報Ａ×Ｃを受信する。
【００６２】
（ステップＳ２４）
次いで、装置３０が、記憶装置３２にアクセスし、記憶装置３２に記憶されている認証保護情報の中から認証情報Ａ×Ｃに対応する認証保護情報Ｌを読み出す。
【００６３】
（ステップＳ２５）
次いで、装置３０が読み出した認証保護情報Ｌを端末２０に送信し、端末２０が装置３０からステップＳ２３で送信した認証情報Ａ×Ｃに対応する認証保護情報Ｌを受信する。
【００６４】
（ステップＳ２６）
次いで、端末２０が、受信した認証保護情報Ｌに基づいて動作する。
【００６５】
［動作例３］
図５は実施形態１に係るシステム１の動作例３を説明する図である。動作例３は、端末２０が、物品１４、１６から認証要素Ｂ、Ｃをそれぞれ読み取り、認証要素［Ｂ、Ｃ］という組み合わせに対応する認証保護情報Ｍを装置３０から受信する動作例である。以下、図５を参照しつつ、動作例３について説明する。
【００６６】
（ステップＳ３１）
まず、端末２０が、物品１２から認証要素Ｂを読み取った後（ステップＳ３１（１））、物品１４から認証要素Ｃを読み取る（ステップＳ３１（２））。
【００６７】
（ステップＳ３２）
次いで、端末２０が、読み取った認証要素Ｂ、Ｃを用いて認証情報Ｂ×Ｃを生成する。
【００６８】
（ステップＳ３３）
次いで、端末２０が認証情報Ｂ×Ｃを装置３０に送信し、装置３０が端末２０から認証情報Ｂ×Ｃを受信する。
【００６９】
（ステップＳ３４）
次いで、装置３０が、記憶装置３２にアクセスし、記憶装置３２に記憶されている認証保護情報の中から、認証情報Ｂ×Ｃに対応する認証保護情報Ｍを読み出す。
【００７０】
（ステップＳ３５）
次いで、装置３０が読み出した認証保護情報Ｍを端末２０に送信し、端末２０が装置３０からステップＳ３３で送信した認証情報Ｂ×Ｃに対応する認証保護情報Ｍを受信する。
【００７１】
（ステップＳ３６）
次いで、端末２０が、受信した認証保護情報Ｍに基づいて動作する。
【００７２】
［動作例４］
図６は実施形態１に係るシステム１の動作例４を説明する図である。動作例４は、端末２０が、物品１２、１４、１６から認証要素Ａ、Ｂ、Ｃをそれぞれ読み取り、認証要素［Ａ、Ｂ、Ｃ］という組み合わせに対応する認証保護情報Ｎを装置３０から受信する動作例である。以下、図６を参照しつつ、動作例４について説明する。
【００７３】
（ステップＳ４１）
まず、端末２０が、物品１２から認証要素Ａを読み取った後（ステップＳ４１（１））、物品１４から認証要素Ｂを読み取り（ステップＳ４１（２））、その後、物品１６から認証要素Ｃを読み取る（ステップＳ４１（３））。
【００７４】
（ステップＳ４２）
次いで、端末２０が、読み取った認証要素Ａ、Ｂ、Ｃを用いて認証情報Ａ×Ｂ×Ｃを生成する。
【００７５】
（ステップＳ４３）
次いで、端末２０が認証情報Ａ×Ｂ×Ｃを装置３０に送信し、装置３０が端末２０から認証情報Ａ×Ｂ×Ｃを受信する。
【００７６】
（ステップＳ４４）
次いで、装置３０が、記憶装置３２にアクセスし、記憶装置３２に記憶されている認証保護情報の中から、認証情報Ａ×Ｂ×Ｃに対応する認証保護情報Ｎを読み出す。
【００７７】
（ステップＳ４５）
次いで、装置３０が読み出した認証保護情報Ｋを端末２０に送信し、端末２０が装置３０からステップＳ４３で送信した認証情報Ａ×Ｂ×Ｃに対応する認証保護情報Ｎを受信する。
【００７８】
（ステップＳ４６）
次いで、端末２０が、受信した認証保護情報Ｎに基づいて動作する。
【００７９】
以上説明したように、実施形態１に係るシステム１によれば、複数の認証要素を用いて生成される一の認証情報により、認証保護情報に基づく動作によりダウンロードまたは受信されるコンテンツデータの著作権や利用状況などを適切に管理することができる。また、認証要素Ａ、Ｂ、Ｃを様々に組み合わせ、その組み合わせ方の違いに応じて内容が異なる様々な認証保護情報を受信することができる、このため、例えば、どのような認証要素をどのように組み合わせたときにどのような認証保護情報で端末２０を動作させることができるのかという楽しみ方ができるサービスを提供することができる。また、例えば、友人と自己がそれぞれ所有する認証要素を組み合わせたときにどのような認証保護情報で端末２０が動作するのかという楽しみ方ができるサービスを提供することができる。したがって、認証保護情報に基づく動作によりダウンロードまたは受信されるコンテンツデータの著作権を適切に管理しつつ、ユーザが主体性を持ってコンテンツデータを楽しむことができるサービスを提供することができる。
【００８０】
［実施形態２に係るシステム］
図７は実施形態２に係るシステムの動作例を説明する図である。実施形態２に係るシステムは、実施形態１に係るシステム１と同様の構成を有する。ただし、端末２０が、生成した認証情報と動作条件を装置３０に送信し、装置３０から送信した認証情報に対応する認証保護情報と送信した動作条件を受信し、受信した動作条件を満たす場合に受信した認証保護情報に基づき動作する点で相違する。また、装置３０が、端末２０から認証情報と動作条件を受信し、読み出した認証保護情報と受信した動作条件を端末２０に送信する点でも相違する。以下、端末２０が認証要素Ａ、Ｂを読み取る場合を例として採り上げ、実施形態２に係るシステムの動作例について説明する。
【００８１】
（ステップＳ５１）
まず、端末２０が、物品１２から認証要素Ａを読み取った後（ステップＳ５１（１））、物品１４から認証要素Ｂを読み取る（ステップＳ５１（２））。
【００８２】
（ステップＳ５２）
次いで、端末２０が、読み取った認証要素Ａ、Ｂを用いて認証情報Ａ×Ｂを生成するとともに、動作条件を生成する。動作条件は、例えば、認証情報を生成する際の時刻、動作可能時間、端末２０に固有の番号、動作回数、またはこれらの情報などを組み合わせた情報であり、１桁以上の英数字などから構成することができる。動作可能時間や動作回数は例えば物品から端末２０に読み取られるものとし、認証情報を生成する際の時刻や端末２０に固有の番号は、例えば端末２０に保持されているものとすることができる。複数の物品から、互いに異なる動作可能時間や動作回数が読み取られた場合は、例えば、最後に読み取られた動作可能時間や動作回数を動作条件の内容に含ませることができる。
【００８３】
（ステップＳ５３）
次いで、端末２０が認証情報Ａ×Ｂと動作条件を装置３０に送信し、装置３０が端末２０から認証情報Ａ×Ｂと動作条件を受信する。例えば、認証情報Ａ×Ｂ＝０００ｄであり、動作条件（認証情報を生成する際の時刻＝２０１６年５月２５日１８時１０分１０秒、動作可能時間＝２４時間以内、端末ＩＤ＝１１１１、動作回数＝制限無し）＝ｂ２４００ｃ１５３０ｄ４５６７である場合であって、認証情報と動作条件が送信される場合には、「０００ｄ」と「ｂ２４００ｃ１５３０ｄ４５６７」が端末２０から送信され、装置３０に受信される。「０００ｄｂ２４００ｃ１５３０ｄ４５６７」というように結合して送信してもよいし、「０００ｄ」と「ｂ２４００ｃ１５３０ｄ４５６７」とに分けて別々に送信してもよい。
【００８４】
（ステップＳ５４）
次いで、装置３０が、記憶装置３２にアクセスし、記憶装置３２に記憶されている認証保護情報の中から認証情報Ａ×Ｂに対応する認証保護情報Ｋを読み出す。
【００８５】
（ステップＳ５５）
次いで、装置３０が読み出した認証保護情報Ｋと動作条件を端末２０に送信し、端末２０が装置３０からステップＳ５３で送信した認証情報Ａ×Ｂに対応する認証保護情報Ｋと動作条件を受信する。
【００８６】
（ステップＳ５６）
次いで、端末２０が、受信した動作条件を満たす場合に、装置３０から受信した認証保護情報Ｋに基づいて動作する。たとえば、動作条件が、認証情報を生成する際の時刻＝２０１６年５月２５日１８時１０分１０秒、動作可能時間＝２４時間以内、端末ＩＤ＝１１１１であるものとすると、端末２０は、現在時刻が２０１６年５月２６日１８時１０分１０秒を過ぎておらず、且つ、自己に固有の番号が１１１１である場合に限り、認証保護情報Ｋに基づく動作を行う。
【００８７】
以上説明した実施形態２に係るシステムによれば、動作条件を満たす場合に認証保護情報に基づく動作を実行することが可能となるため、認証保護情報の流通状況を適切に管理することができる。また、認証情報を生成する端末２０自らが動作条件を装置３０に送信し、端末２０は自らが送信した動作条件に拘束されることになるため、認証情報を生成する際の状況に応じた適切な動作条件を設定することができる。
【実施例１】
【００８８】
実施例１として、３人組音楽バンドの各メンバーＡ、Ｂ、Ｃを模した人形が物品１２、１４、１６であり、ユーザのスマートフォンが端末２０であり、音楽提供会社のサーバが装置３０であり、ネットワーク４０がインターネットであり、３人組音楽バンドの曲が認証保護情報に基づく動作によりダウンロードされるコンテンツデータである場合について検討する。実施例１によれば、例えば、各メンバーＡ、Ｂ、Ｃを模した人形の組み合わせ方の違いに応じて、３人組音楽バンドの異なる曲（例：メンバー全員による曲、メンバーＡとＢのみの曲）をユーザのスマートフォン上で再生するサービスを提供することができる。
【実施例２】
【００８９】
実施例２として、インターネットテレビ局の番組に関連した商品Ａ、Ｂ、Ｃが物品１２、１４、１６であり、ユーザのスマートフォンが端末２０であり、インターネットテレビ局のサーバが装置３０であり、ネットワーク４０がインターネットであり、インターネットテレビ局からストリーミング配信される番組が認証保護情報に基づく動作により受信されるコンテンツデータである場合について検討する。実施例２によれば、例えば、商品Ａ、Ｂ、Ｃの組み合わせ方の違いに応じて、異なる番組をストリーミング配信で視聴するサービスを提供することができる。
【実施例３】
【００９０】
実施例３として、所定の機種のスマートフォンに関連した商品Ａ、Ｂ、Ｃが物品１２、１４、１６であり、当該所定の機種のスマートフォンが端末２０であり、スマートフォン開発会社のサーバが装置３０であり、ネットワーク４０がインターネットであり、スマートフォンの各種設定データが認証保護情報である場合について検討する。実施例３によれば、例えば、商品Ａ、Ｂ、Ｃの組み合わせ方の違いに応じて、スマートフォンの画面の輝度、明るさ、待ち受け画面などを変更するサービスを提供することができる。
【実施例４】
【００９１】
実施例４として、アプリケーションゲーム内で操作するキャラクタＡ、Ｂ、Ｃを模したミニチュアが物品１２、１４、１６であり、アプリケーションゲームを実行するユーザのスマートフォンが端末２０であり、ゲーム提供会社のサーバが装置３０であり、ネットワーク４０がインターネットであり、キャラクタＡ、Ｂ、Ｃの合体に関する情報が認証保護情報である場合について検討する。実施例４によれば、例えば、各キャラクタＡ、Ｂ、Ｃを模したミニチュアの組み合わせ方の違いに応じて、各キャラクタＡ、Ｂ、Ｃを様々に合体（例：キャラクタＡ、Ｂが合体、キャラクタＡ、Ｂ、Ｃが合体）させるサービスを提供することができる。
【実施例５】
【００９２】
実施例５として、アプリケーションゲーム内で使用するアイテムＡ、Ｂ、Ｃを模したミニチュアが物品１２、１４、１６であり、アプリケーションゲームを実行するユーザのスマートフォンが端末２０であり、ゲーム提供会社のサーバが装置３０であり、ネットワーク４０がインターネットであり、アプリケーションゲームに関する情報が認証保護情報である場合について検討する。実施例５によれば、例えば、アイテムＡ、Ｂ、Ｃを模したミニチュアの組み合わせ方の違いに応じて、様々な効果（例：キャラクタの体力の回復、特別なイベントの発生）を発生させるサービスを提供することができる。
【実施例６】
【００９３】
実施例６として、あるアーティストに関連した３つのグッズＡ、Ｂ、Ｃが物品１２、１４、１６であり、ユーザのスマートフォンが端末２０であり、音楽提供会社のサーバが装置３０であり、ネットワーク４０がインターネットであり、アーティストに関連するアプリケーションや曲が認証保護情報に基づく動作によりダウンロードされるアプリケーションやコンテンツデータである場合について検討する。実施例６によれば、例えば、グッズＡ、Ｂ、Ｃを揃えてこれら３つのグッズから読み込んだ認証要素を組み合わせた場合のみ、当該アーティストのプレミアム会員専用アプリケーションや曲などをダウンロードするサービスを提供することができる。
【実施例７】
【００９４】
実施例７として、遊園地のあるアトラクション内に設置された設置物Ａ、Ｂ、Ｃが物品１２、１４、１６であり、当該アトラクションに入場するユーザに遊園地の運営者から配布される水鉄砲が端末２０であり、遊園地の運営者のサーバが装置３０であり、ネットワーク４０がＬＡＮ（Ｌｏｃａｌ  Ａｒｅａ  Ｎｅｔｗｏｒｋ）であり、水鉄砲の動作に関する情報が認証保護情報である場合について検討する。実施例７によれば、例えば、アトラクション内の設置物Ａ、Ｂ、Ｃから認証要素をそれぞれ読み取り様々に組み合わせることにより、水鉄砲から様々な態様（例：長時間、短時間、長距離、短距離）で水を吹き出させるサービスを提供することができる。
【００９５】
以上、実施形態及び実施例について説明したが、これらの説明によって特許請求の範囲に記載された構成は何ら限定されるものではない。
【符号の説明】
【００９６】
１    システム
１２、１４、１６    物品
２０    端末
３０    装置
３２    記憶装置
Ａ、Ｂ、Ｃ    認証要素
Ａ×Ｂ、Ａ×Ｃ、Ｂ×Ｃ、Ａ×Ｂ×Ｃ    認証情報
Ｋ、Ｌ、Ｍ、Ｎ    認証保護情報
【図１】
0006298850.tif 000002
【図２】
0006298850.tif 000003
【図３】
0006298850.tif 000004
【図４】
0006298850.tif 000005
【図５】
0006298850.tif 000006
【図６】
0006298850.tif 000007
【図７】
0006298850.tif 000008